(57)【特許請求の範囲】
【請求項１】
植毛台の一面に毛体群を有する清掃用具において、柄部及び該柄部における一端部周面の周方向へ離隔した２位置に配された二つの毛体群を有する清掃補助体を備え、該清掃補助体の前記柄部及び一つの毛体群を収納する収納溝と、該収納溝の長手方向一端側から前記一面に開放されている貫通凹部と、前記一面の毛体群が前記貫通凹部にて欠毛され、他の一つの毛体群を収納する空洞とを有することを特徴とする清掃用具。
【請求項２】
前記二つの毛体群の毛体は、前記柄部の一端部周面から延出されている方向を異にしてある請求項１記載の清掃用具。
【発明の詳細な説明】
【技術分野】
【０００１】
本発明は浴室等を清掃するのに便利な清掃用具に関する。
【背景技術】
【０００２】
浴室等を清掃する清掃用具は、植毛台の一面に毛体群が設けられており、植毛台を把持し、毛体群の先端をタイル等の汚れ面に当てて擦ることにより汚れ面に付着している汚れを落している。
【特許文献１】特開２００１−３５３１０３号公報
【発明の開示】
【発明が解決しようとする課題】
【０００３】
ところで、比較的小形のタイルが敷設されている浴室等を清掃する場合、毛体群の先端面積が少ないブラシでは清掃効率が悪く、また、毛体群の先端面積が多いブラシでは角部等の狭面部に毛体群を当て難く、狭面部の汚れを落し難いという問題がある。
【０００４】
本発明は斯かる事情に鑑みてなされたものであり、主たる目的は植毛台の一面に毛体群を有する清掃用具において、柄部の一端部に清掃材が設けられている清掃補助体を備え、該清掃補助体を収納すべき収納溝を前記植毛台の他面に設けることにより、植毛台を把持して比較的広い汚れ面を清掃することができ、角部等の狭面部を清掃補助体で清掃することができ、汚れ面の全体を効率よく清掃することができる清掃用具を提供することにある。
【０００５】
また、他の目的は柄部の周方向２位置に二つの毛体群を設けてある清掃補助体を備えることにより、狭面部の広さ及び汚れ度合いに応じて狭面部の汚れを効率よく落すことができる清掃用具を提供することにある。
【０００６】
また、他の目的は二つの毛体群を、毛体の長手方向を異にした構成とすることにより、狭面部の広さ及び汚れ度合いに応じて一方の毛体群又は他方の毛体群により狭面部の汚れを落すことができる清掃用具を提供することにある。
【０００７】
また、他の目的は毛体群の一方の先端が尖っている構成とすることにより、先端が尖っている毛体群の先端を比較的狭い狭面部に当てることができ、比較的狭い狭面部の汚れを容易に落すことができる清掃用具を提供することにある。
【課題を解決するための手段】
【０００８】
第１発明に係る清掃用具は、植毛台の一面に毛体群を有する清掃用具において、柄部及び該柄部における一端部周面の周方向へ離隔した２位置に配された二つの毛体群を有する清掃補助体を備え、該清掃補助体の前記柄部及び一つの毛体群を収納する収納溝と、該収納溝の長手方向一端側から前記一面に開放されている貫通凹部と、前記一面の毛体群が前記貫通凹部にて欠毛され、他の一つの毛体群を収納する空洞とを有することを特徴とする。
【０００９】
第１発明にあっては、一面に毛体群を有する植毛台の収納溝に、柄部の一端部に二つの毛体群が設けられている清掃補助体の柄部及び一つの毛体群を収納することができ、また、植毛台の毛体群の一部が欠毛されることにより形成されている空洞に、清掃補助体の他の一つの毛体群を収納することができるため、毛体群の先端面積を比較的多くすることができる。従って、比較的広い汚れ面を清掃する場合、植毛台を把持し、該植毛台に設けられている毛体群を汚れ面に当てて効率よく清掃することができ、また、角部等の狭面部を清掃する場合、清掃補助体の柄部を把持し、該柄部に設けられている毛体群を狭面部に当てて該狭面部の汚れを容易に落すことができ、汚れ面の全体を効率よく清掃することができる。
【００１２】
第２発明に係る清掃用具は、前記二つの毛体群の毛体は、前記柄部の一端部周面から延出されている方向を異にしてあることを特徴とする。
【００１３】
第２発明にあっては、狭面部の広さ及び汚れ度合いに応じて一方の毛体群又は他方の毛体群により狭面部の汚れを落すことができる。
【発明の効果】
【００１６】
第１発明によれば、植毛台を把持して比較的広い汚れ面を清掃することができ、また、角部等の狭面部を清掃補助体で清掃することができ、汚れ面の全体を効率よく清掃することができる。
【００１８】
また、第２発明によれば、狭面部の広さ及び汚れ度合いに応じて一方の毛体群又は他方の毛体群により狭面部の汚れを落すことができる。
【発明を実施するための最良の形態】
【００２０】
以下、本発明をその実施の形態を示す図面に基づいて詳述する。図１は清掃用具の構成を示す正面図、図２は平面図、図３は縦断正面図、図４は清掃補助体を取出した状態の側面図、図５は清掃補助体を取出した状態の縦断正面図、図６は清掃補助体の構成を示す正面図、図７は清掃補助体の構成を示す平面図、図８は清掃補助体の構成を示す側面図である。
【００２１】
図に示した清掃用具は、略四角柱形をなす植毛台１と、該植毛台１の一面に複数本の毛体が植毛されている第１の毛体群２と、柄部３１及び該柄部３１の一端部に第２、第３の毛体群３２，３３が設けられており、後記する収納凹所としての収納溝１１に取出し可能に収納される清掃補助体３とを備える。
【００２２】
植毛台１は、第１の毛体群２が設けられている一面に連なる両側面及び他面が外向き凸に湾曲し、全長に亘って把持し易い断面形状になっており、他面に長手方向に沿って収納溝１１が設けられている。植毛台１の長手方向一端部には収納溝１１及び一面に貫通する貫通凹部１２を設けてあり、また、他端部には貫通孔１３が設けられている。また、植毛台１は第１の毛体群２を有する台板１ａと、該台板１ａの幅方向両側に嵌合される二つの嵌合片を両側に有し、中央部に収納溝１１を有する把持体１ｂとにより構成されており、台板１ａ及び把持体１ｂに貫通凹部１２が設けられている。
【００２３】
収納溝１１は植毛台１の他端から一端に至るに従って漸次深くなっており、最深部に貫通凹部１２が設けられ、第２の毛体群３２が収納溝１１から外部へ突出しないように構成されている。
【００２４】
第１の毛体群２は断面台形の直方体をなし、貫通凹部１２に対応する箇所を非毛体の空洞１４としてある。
【００２５】
清掃補助体３は、杆状の柄部３１と、該柄部３１の一端部一面に複数本の毛体が植毛されている第２の毛体群３２と、柄部３１の一端部他面に複数本の毛体が植毛されている第３の毛体群３３とを備える。第２の毛体群３２は柄部３１の長手方向と略直交するように植毛されており、第３の毛体群３３は柄部３１の長手方向に対して傾斜するように植毛されており、第２及び第３の毛体群３２，３３の毛体の長手方向を異にしてある。また、柄部３１の一端部他面は略三角形に膨出され、この膨出された膨出部３１ａに第３の毛体群３３が設けられている。
【００２６】
第３の毛体群３３は柄部３１の長手方向外方へ傾斜し、第３の毛体群３３の一部は柄部３１により外方へ突出しており、また、幅方向両端の縁部が面取りされ、先端が尖っている。
【００２７】
以上のように構成された清掃用具は、植毛台１の収納溝１１に清掃補助体３が収納されている。この清掃補助体３は柄部３１が収納溝１１に保持され、第３の毛体群３３が貫通凹部１２を経て第１の毛体群２の空洞１４に収納され、第２の毛体群３２が収納溝１１の開放側に露出している。このように清掃補助体３が収納されている植毛台１の把持体１ｂを片手で把持し、第１の毛体群２の先端を比較的広い汚れ面に当てて擦ることにより汚れ面に付着している汚れを落すことができる。
【００２８】
また、角部等の狭面部を清掃する場合、清掃補助体３を植毛台１の収納溝１１から取出し、該清掃補助体３の柄部３１を把持して第２の毛体群３２又は第３の毛体群３３の先端を狭面部に当てて擦ることにより該狭面部の汚れを容易に落すことができる。このとき、第３の毛体群３３は柄部３１の長手方向外方へ傾斜し、さらに先端が尖っているため、柄部３１の一端部に邪魔されないように狭面部の汚れを容易に落すことができる。
【００２９】
尚、以上説明した実施の形態では柄部３１の一端部に第２及び第３の毛体群３２，３３が設けられている清掃補助体３を備える構成としたが、その他、柄部３１の一端部に第２又は第３の毛体群３２，３３が設けられている清掃補助体３を備える構成であってもよい。また、清掃補助体３の清掃材は、毛体群である他、不織布、スポンジ等であってもよい。
【図面の簡単な説明】
【００３０】
【図１】本発明に係る清掃用具の構成を示す正面図である。
【図２】本発明に係る清掃用具の構成を示す平面図である。
【図３】本発明に係る清掃用具の構成を示す縦断正面図である。
【図４】本発明に係る清掃用具の清掃補助体を取出した状態の側面図である。
【図５】本発明に係る清掃用具の清掃補助体を取出した状態の縦断正面図である。
【図６】本発明に係る清掃用具の清掃補助体の構成を示す正面図である。
【図７】本発明に係る清掃用具の清掃補助体の構成を示す平面図である。
【図８】本発明に係る清掃用具の清掃補助体の構成を示す側面図である。
【符号の説明】
【００３１】
１    植毛台
１１  収納溝
１２  貫通凹部
２    第１の毛体群（毛体群）
３    清掃補助体
３１  柄部
３２  第２の毛体群（清掃材）
３３  第３の毛体群（清掃材）
【図１】
0004459187.tif 000002
【図２】
0004459187.tif 000003
【図３】
0004459187.tif 000004
【図４】
0004459187.tif 000005
【図５】
0004459187.tif 000006
【図６】
0004459187.tif 000007
【図７】
0004459187.tif 000008
【図８】
0004459187.tif 000009